(57)【要約】  本発明は、診断Ｘ線装置１の可動コンポーネント７のための天井支持システムに関する。該システムは、水平可動キャリッジ８と、該キャリッジに取り付けられるクレーン９であって、テレスコピック部１０により垂直に伸張及び収縮可能であるクレーンと、可動コンポーネント７の制御のため、及び／又は電源供給のための少なくとも１つの可撓性電気ケーブル１７とを有する。このような天井支持システムにＸ線管及び／又はＸ線画像検出器の改善された可動性を提供するために、本発明は、電気ケーブル１７がキャリッジ８からクレーン９のテレスコピック部１０を通って導かれ、ケーブルドラム１８が、コンポーネント７の垂直運動の間、電気ケーブル１７を巻き取るためにクレーン９の上端に配置されることを提案する。
2008531231.tif 000002
【特許請求の範囲】
【請求項１】
診断Ｘ線装置の可動コンポーネント用の天井支持システムであって、該システムが、
水平可動キャリッジと、
該キャリッジに取り付けられるクレーンであって、テレスコピック部により垂直に伸張及び収縮可能であるクレーンと、
電源供給のため、及び／又は前記可動コンポーネントの制御のための少なくとも１つの可撓性電気ケーブルと、
を有し、
前記電気ケーブルが、前記キャリッジから前記クレーンの前記テレスコピック部を通って導かれ、前記コンポーネントの垂直運動の間、前記電気ケーブルを巻き取るために、ケーブルドラムが、前記クレーンの上端に配置されることを特徴とする、
天井支持システム。
【請求項２】
前記テレスコピック部が、ロープにより垂直運動可能であり、該ロープが前記クレーンの前記上端に配置された滑車の回りに巻き付かれ、該滑車と前記ケーブルドラムとを同期して駆動するためのモータが設けられることを特徴とする、請求項１に記載の天井支持システム。
【請求項３】
前記キャリッジの水平運動を可能にするために、前記電気ケーブルが複数のヒンジ連結チェーンリンクからなるチェーンの形態で、第１可撓性ケーブル担体に導かれ、該チェーンは、前記キャリッジが運動可能につるされた天井取付ガイドレールと平行に並べられることを特徴とする、請求項１又は２に記載の天井支持システム。
【請求項４】
前記ケーブルドラムの前記ハブと前記回転する外径との間のケーブル接続が更に設けられ、該ケーブル接続が、複数のヒンジ連結チェーンリンクからなるチェーンの形態で、第２可撓性ケーブル担体を通って導かれることを特徴とする、請求項１乃至３の何れか一項に記載の天井支持システム。
【請求項５】
前記電気ケーブルが前記クレーンの下端で前記クレーンの外に水平方向に導かれることを特徴とする、請求項１乃至４の何れか一項に記載の天井支持システム。
【請求項６】
Ｘ線源と、該Ｘ線源に対面する関係のＸ線画像検出器と、前記Ｘ線源又は前記Ｘ線画像検出器の垂直及び／又は水平運動のための天井支持システムとを有するＸ線装置であって、該天井支持システムが、水平可動キャリッジと、該キャリッジに取り付けられたクレーンであって、テレスコピック部により垂直に伸張及び収縮可能であるクレーンと、電源供給のため、及び／又は前記Ｘ線源若しくは前記Ｘ線画像検出器の制御のための少なくとも１つの可撓性電気ケーブルとを有し、前記電気ケーブルが前記キャリッジから前記クレーンのテレスコピック部を通って導かれ、前記Ｘ線源又は前記Ｘ線画像検出器の垂直運動の間、前記電気ケーブルを巻き取る前記クレーンの上端においてケーブルドラムが配置されることを特徴とするＸ線装置。
【請求項７】
前記テレスコピック部が、ロープにより垂直に運動可能であり、該ロープが、前記クレーンの上端に配置された滑車の回りに巻かれ、該滑車と前記ケーブルドラムとを同期して駆動するためのモータが設けられることを特徴とする、請求項６に記載のＸ線装置。
【請求項８】
前記電気ケーブルが、前記キャリッジの水平運動を可能にするために、複数のヒンジ連結チェーンリンクからなるチェーンの形態で第１可撓性ケーブル担体内を導かれ、前記チェーンは、前記キャリッジが可動であるようにつるされた天井取付ガイドレールと平行に並べられ、前記ケーブルドラムの前記ハブと前記回転する外径との間にケーブル接続が更に設けられ、該ケーブル接続が、複数のヒンジ連結チェーンリンクからなるチェーンで形態の第２可撓性ケーブル担体を通って導かれることを特徴とする、請求項６又は７に記載のＸ線装置。
【発明の詳細な説明】
【技術分野】
【０００１】
本発明は、診断Ｘ線装置の可動コンポーネント用の天井支持システムに関し、該システムは、水平可動キャリッジと、該キャリッジに取り付けられるクレーンであって、テレスコピック（telescoping）部により垂直に伸張及び収縮可能であるクレーンと、可動コンポーネントの電源供給及び／又は制御のための少なくとも１つの可撓性電気ケーブルとを有する。
【０００２】
更に、本発明は、Ｘ線源と、該Ｘ線源と対面した関係にあるＸ線画像検出器と、該Ｘ線源又は該Ｘ線画像検出器のための天井支持システムとを有するＸ線装置に関する。
【背景技術】
【０００３】
医療用診断画像化の分野、特にＸ線透視及び放射線の分野において、広範囲の装置が、現在商業的に利用可能である。例えば米国特許ＵＳ４４３５８３０から知られる従来のＸ線システムでは、患者は、検査の間、Ｘ線画像検出器、例えば通常のＸ線フィルム、電子Ｘ線画像増強装置、又はデジタルＸ線平面検出器を有する放射線蛍光板透視台上で支持される。頭上のＸ線源、例えば従来のＸ線管は、患者を通って患者の下のＸ線画像検出器に放射線のビームを向ける。Ｘ線源は、該Ｘ線源の垂直及び水平運動を可能にするための管状クレーンを有する天井支持に取り付けられる。この種の従来の天井支持システムは、例えば国際公開ＷＯ２００４／０４３２６１Ａ１に記載される。検査されるべき患者の身体の各部に依存して、患者に対するＸ線源及び／又はＸ線画像検出器の水平及び垂直の可動性が必要である。従来のＸ線装置の管状クレーンは、テレスコピック部により伸張及び収縮することができる。これらのテレスコピック部は、モータにより駆動される滑車の回りに巻かれるワイヤロープによりテレスコピックに動くことができる。既知のシステムは、Ｘ線管の水平運動を可能にするために、通常更に天井につるされたガイドレールを使用する。
【０００４】
既知のＸ線システムにおいて、Ｘ線管及びＸ線画像検出器の電源供給のため、並びに前記装置のバックエンドの電子装置への電子信号伝送、及び該電子装置からの電子信号伝送のために、配線が必要とされる。通常対応するケーブルが、部屋のコンセントから、Ｘ線装置の天井支持システムのつるされたコンポーネントにケーブルが走っている。ケーブルは、水平及び垂直運動を可能にするために、可撓性のコルゲートチューブを通って導かれる。このコルゲートチューブは、従来天井及びクレーンの複数の位置で固定される。
【０００５】
既知のＸ線システムの欠点は、上記のやり方の配線が、可動コンポーネントの位置決めを著しく妨害することである。このことは、主としてコルゲートチューブを通じて導かれた電気ケーブルの重量のため、並びに該ケーブルの屈曲及びねじれの抵抗力のためである。更なる問題は、ケーブルがしばしばＸ線装置の他の部分との間にコルゲートチューブとともに固定されてしまい、損傷を受けるかもしれないことである。
【発明の開示】
【発明が解決しようとする課題】
【０００６】
それゆえ、Ｘ線装置のコンポーネントの妨害されない水平及び／又は垂直運動を可能にするために、Ｘ線装置用の改善された天井支持システムに対するニーズがあることは、容易に理解される。したがって、本発明の主目的は、Ｘ線管及び／又はＸ線画像検出器の改善された可動性を持つこのような天井支持システムを提供することである。
【課題を解決するための手段】
【０００７】
本発明によれば、診断Ｘ線装置の可動コンポーネントのための天井支持システムが開示され、該システムは、水平可動キャリッジと、該キャリッジに取り付けられたクレーンであって、テレスコピック部により垂直に伸張及び収縮可能であるクレーンと、電源供給のため及び／又は可動コンポーネントの制御のための少なくとも１つの可撓性電気ケーブルとを有する。電気ケーブルは、前記キャリッジから、クレーンのテレスコピック部を通って導かれ、ケーブルドラムが、コンポーネントの垂直運動の間、電気ケーブルを巻き取るためにクレーンの上端に配置される。
【０００８】
本発明の天井支持システムでは、Ｘ線装置の可動コンポーネントと、バックエンドの電子装置とを接続する電気ケーブルが、クレーンのテレスコピック部を通って導かれる。したがって、前記ケーブルがもつれず、垂直運動の間に妨害は生じない。更なる利点は、電気ケーブルがクレーン内部に固定されないこと、及び／又は損傷を受けることがないということである。ケーブルドラムは、よく規定された荷重がケーブルにかかるように電気ケーブルを巻き取り、損傷のリスクが著しく低減される。屈曲及びねじれに対するケーブルの抵抗力は、ケーブルがクレーン内部で常に引き伸ばされた状態にあるので、天井支持システムにつるされるコンポーネントのストロークも妨害しない。
【０００９】
本発明の天井支持システムでは、クレーンに取り付けられたコンポーネントを自動的に上昇又は下降させるためのモータが設けられ得る。このモータが、ケーブルドラムを駆動するためにも使用され得るということは、本発明の重要な態様である。クレーンの垂直運動及びケーブルの巻き取りは、このように非常に単純に同期され得る。このことは、天井支持システムのサーボ補助上昇及び下降運動の実現を、従来の装置と比較して著しく単純にする。本発明による天井支持システムのテレスコピック部は、ロープにより垂直に運動可能であってもよく、該ロープは、クレーンの上端に配置された滑車の回りに巻き付けられる。モータは、垂直運動の間、電気ケーブルを巻き付けるためのこの滑車とケーブルドラムとを駆動している。クレーンにつるされたＸ線装置のコンポーネント、例えばＸ線源又はＸ線画像検出器は、モータの動力により動かされる。
【００１０】
本発明の天井支持システムの好ましい実施例によれば、電気ケーブルは、キャリッジの水平運動を可能にするために、複数のヒンジ連結チェーンリンクからなるチェーンの形態の第１可撓性ケーブル担体に導かれ、該チェーンは、キャリッジが運動可能につるされた天井取付ガイドレールと平行に並べられる。このようなケーブル担体は、商標名「エナジーチェーン（Energy  Chain）」において低コストで商業的に利用可能である。これらのケーブル担体は、運動の妨害にならず、損傷のリスクなしで、動かすケーブルを導くと共に保護する。エナジーチェーンの使用は、それゆえＸ線装置の支持要素に沿って複数の任意の選択位置において固定された単純なコルゲートチューブを使用する上記の従来の解決策よりも優れている。更に有利なことに、該エナジーチェーンをガイドレールの外形の下に「隠す」ことができ、その結果、該エナジーチェーンは、天井支持システムの構造的な部分に完全に囲まれる。
【００１１】
本発明の天井支持システムでは、ケーブルドラムの回転する外径とハブとの間にケーブル接続を設け、該ケーブル接続が、第２可撓性ケーブル担体を通じて導かれることが有利である。上記のタイプの更なるエナジーチェーンがこの目的のために使用され得る。支持システムにつるされたコンポーネントの垂直運動の間、前記チェーンの一端は、ケーブルドラムのハブ付近に固定され、一方他端は、ケーブルドラムと共に回転する。運動の方向に依存して、該チェーンは、コイルスプリングに類似して閉じる又は開く。このようにケーブルドラムに巻き上げられたケーブルの接続は、直接的且つコスト効果的な態様で実現され得る。
【００１２】
本発明によれば、電気ケーブルが、その下端において、天井支持システムのクレーンの外へ水平方向に導かれる場合、有利である。運動するコンポーネントがクレーンの垂直な軸について回転される場合、上記のことは、ケーブルが曲がるのみで、ゆがまないことを保証する。
【００１３】
以下の図面は、本発明の好ましい実施例を開示する。しかしながら、該図面は、単に説明する目的を意図され、本発明を制限する定義として意図されるわけではないことを理解されるべきである。
【発明を実施するための最良の形態】
【００１４】
図１及び図２を参照すると、本発明によるＸ線装置１が図示される。Ｘ線装置１は、検査の間、患者を支持するための天板３をもつ台２を有する。台２は、Ｘ線フィルム用の容器（receptacle）４を有する。更に、Ｘ線フィルム用の容器６を有するウォールスタンド５が設けられる。このウォールスタンド（wall  stand）５は、立った姿勢の患者の検査に使用され得る。頭上のＸ線源７は、患者を通って該患者の下又は背後のＸ線フィルムに放射線のビームを向ける。Ｘ線源７は、該Ｘ線源７を支持すると共に、該Ｘ線源７を垂直及び水平に運動することを可能にするために、天井支持システムに取り付けられる。天井支持システムは、水平可動キャリッジ８と、該キャリッジ８に取り付けられた管状クレーン９とを有する。図示されたＸ線装置１の管状クレーン９は、テレスコピック部１０により伸張及び収縮可能である。これらのテレスコピック部１０は、管状クレーン９を通って導かれ、滑車１２の回りに巻かれるワイヤロープにより、テレスコピックに動かすことができる。Ｘ線源７は、モータ駆動１４により（矢印１３により示されるように）上昇又は下降され得る。キャリッジ８は、（矢印１６により示されるように）水平運動を可能にするために、天井取付ガイドレール１５に取り付けられる。
【００１５】
図２は、天井支持システムをより詳細に示す。電源供給のため、及びＸ線源７の遠隔制御のために可撓性ケーブル１７が設けられる。該ケーブル１７は、キャリッジ８からクレーン９のテレスコピック部１０を通って導かれ、Ｘ線源７に接続される。Ｘ線源７の垂直運動の間、電気ケーブル１７を巻き取るためにクレーン９の上端の上のキャリッジ８内にケーブルドラム１８が配置される。ケーブル１７がクレーン９内で常に引き伸ばされた状態であり、それゆえ、その伸張又は収縮を妨害しないことを保証するために、モータ１４は、滑車１２とケーブルドラム１８とを同期して駆動している。キャリッジ８の外側では、ケーブル１７は、第１可撓性ケーブル担体１９に導かれる。ケーブル担体１９は、天井取付レール１５と平行して並べられたいわゆるエナジーチェーンである。第２可撓性ケーブル担体として、更にエナジーチェーン２０が設けられる。ケーブル１７は、ケーブルドラム１８のハブ２１から外径に、エナジーチェーン２０を通って導かれる。垂直運動１３の間、エナジーチェーン２０は、スプリングコイルのように振る舞い、ケーブルドラム１８の回転の方向に依存して開く又は収縮する。電気ケーブル１７は、クレーン９の垂直な軸の回りのＸ線源７の回転を容易にするために、クレーン９をその下端において水平方向のままにする。
【図面の簡単な説明】
【００１６】
【図１】図１は、本発明によるＸ線装置を図示する。
【図２】図２は、図１に図示されたＸ線装置の天井支持システムを概略的に示す。
【図１】
2008531231.tif 000003
【図２】
2008531231.tif 000004
【国際調査報告】
2008531231.tif 000005
2008531231.tif 000006
2008531231.tif 000007